(57)【要約】【課題】  プリ発光を行い、本発光の発光量を決定する撮像装置において、測光素子に届く光の量と本発光の発光量を算出するためのパラメータとに対応したテーブルを記憶する、撮像装置内の記憶領域の使用量を削減し、また、テーブルを作成するための開発時間を短縮する。【解決手段】  撮像装置の記憶領域に、予め、所定の絞り径において、測光素子に入射する光の量と本発光の発光量を算出するために用いるパラメータとを対応させて記憶させ、レリーズボタン全押し後、プリ発光以前に、絞りを予め記憶された所定の絞り径に設定する。【選択図】図２
2013025042.tif 000002
【特許請求の範囲】
【請求項１】
被写界を測光し、測光領域の受光量に応じた測光データを出力する測光素子と、
所定の絞り径において、前記測光素子に入射する光の量と本発光の発光量を算出するために用いるパラメータとを対応させて記憶する記憶手段と、
前記測光データと前記記憶手段の情報から本発光の発光量を算出する測光演算手段と、
前記測光データを取得するためのプリ発光と撮影時の本発光を行うフラッシュ装置と、
前記フラッシュ装置の発光を制御するフラッシュ制御手段と、
交換可能な撮影レンズ光学系と、
前記撮影レンズ光学系を透過する光の量を調整する絞りと、
前記絞りを制御する絞り制御手段と、
全押しされることにより撮像を指示するレリーズボタンと
を有する
レンズ交換式の撮像装置において、
前記絞り制御手段は、前記レリーズボタン全押し後、プリ発光以前に前記絞りを前記記憶手段に記憶された所定の絞り径に設定すること
を特徴とする撮像装置。
【請求項２】
前記記憶手段は第１記憶手段と第２記憶手段から構成され、
前記第１記憶手段は、所定の絞り径において、前記測光素子に入射する光の量と本発光の発光量を算出するために用いるパラメータとを対応させて記憶し、
前記第２記憶手段は、前記第１記憶手段に記憶された所定の絞り径よりも大きな絞り径において、前記測光素子に入射する光の量と本発光の光量を算出するために用いるパラメータとを対応させて記憶し、
前記絞り制御手段が、前記レリーズボタン全押し後、前記第１記憶手段に記憶された絞り径と前記第２記憶手段に記憶された絞り径のいずれかを選択し、前記絞りを、選択した絞り径に設定してから、
前記フラッシュ装置はプリ発光を行うこと
を特徴とする請求項１に記載の撮像装置。
【請求項３】
前記絞り制御手段が、前記撮影レンズ光学系の開放絞り情報を読み出し、前記第２記憶手段に記憶された絞り径と比較し、前記第２記憶手段に記憶された絞り径より開放絞り径が小さい場合には前記第１記憶手段に記憶された絞り径を選択し、
前記第２の記憶手段に記憶された絞り径と開放絞り径が同じか、又は大きい場合には、前記第２の記憶手段に記憶された絞り径を選択し、
前記レリーズボタン全押し後、前記絞りを、それぞれ選択した絞り径に設定してから、
前記フラッシュ装置はプリ発光を行うこと
を特徴とする請求項２に記載の撮像装置。
【発明の詳細な説明】
【技術分野】
【０００１】
本発明は、本発光に先立ってプリ発光を行う発光制御を行う撮像装置において、特にプリ発光結果に基づいて本発光の発光量を決定する撮像装置に関する。
【背景技術】
【０００２】
従来、夜景等の光量の少ないシーンや逆光シーンの撮影において、光量の不足を補うために発光させられるエレクトロニックフラッシュ（以下、フラッシュ装置）がある。かかるフラッシュ装置はキセノンガスが充填された放電管で出来ており、コンデンサからの放電により、瞬間的にキセノンガスを発光させる仕組みとなっている。
【０００３】
このようなフラッシュ装置においては、本発光の前にプリ発光を行うものがあった。
【０００４】
プリ発光とは、従来、暗所での撮影時に発生する赤目現象を抑えるため、本発光前にあらかじめ発光を行う機能のことである。
【０００５】
赤目現象とは、暗い場所でフラッシュ撮影を行った場合に、広がっている瞳孔にフラッシュの光が入り、網膜内の毛細血管に強い光が当ることで瞳が赤く写るという現象である。
【０００６】
プリ発光は、撮影の直前に強い光を発し、瞳孔を収縮させることにより、これを防ぐものである。
【０００７】
ところで、近年では、上述のプリ発光を赤目軽減のためではなく、測光のために行う撮像装置が広く知られている。
【０００８】
プリ発光による測光制御を行う撮像装置として、例えば特許文献１にはフラッシュ撮影前にプリ発光を行い、撮影レンズ光学系を通過した、被写体からの反射光を撮像装置の測光素子によって取得することにより、フラッシュ撮影時の発光量を決定するＴＴＬ測光を行う撮像装置が記載されている。
【先行技術文献】
【特許文献】
【０００９】
【特許文献１】特許第２９０６５５２号公報
【発明の概要】
【発明が解決しようとする課題】
【００１０】
一方で、測光素子が検出する光の量は、測光時の交換レンズの絞り径によって異なることが知られている。
【００１１】
当然、絞り径が小さければ測光素子に届く光の量は少なくなり、絞り径が大きければ測光素子に届く光の量は多くなる。
【００１２】
また、通常、測光素子がプリ発光の光の量を検出する際、装着した交換レンズの絞り径はそのレンズの開放Ｆ値の絞り径となっている。これは、通常、絞り径が開放状態以外に制御されるのは、露光動作前のみだからである。
【００１３】
そのため、撮像装置の記憶領域には、想定されるレンズの開放Ｆ値の数分、測光素子が検出する光の量と本発光の発光量を算出するために用いるパラメータとに対応したテーブルが用意されている必要がある。
【００１４】
プリ発光の光が同量、被写体に反射されたとしても、絞り径によっては測光素子に届く光の量が異なるため、その絞り径による差分を考慮して、フラッシュ撮影時の発光量を決定する必要があるからである。
【００１５】
したがって従来は、想定されるレンズの開放Ｆ値の数のテーブル分、撮像装置の記憶容量が使用されることは避けられなかった。
【００１６】
この点につき、絞り径と測光素子に届く光量が単純に比例関係にあるのであれば、計算が容易なため、テーブルを用いるのではなく、計算によってＦ値ごとの測光素子が検出する光の量を算出する方法を用いることが考えられる。
【００１７】
しかしながら、測光素子が検出するプリ発光の光は、絞り径の大きさに単純比例しない。
【００１８】
例えば、光学系と測光素子の間に設置されたピント板により、測光素子に入射する光は一部反射されたり拡散されたりする。かかるピント板による反射や拡散の程度は、光束の入射角により異なるため、絞り径の大きさの影響を受けるが、これは絞り径の大きさと単純比例とはならない。
【００１９】
また、通常、フラッシュ装置は撮影レンズ光学系の光軸上ではなく、光軸に角度を持った位置に配置されている。そのため、測光素子が検出するプリ発光の光は、光学系に入射する際、光軸に対し角度を持って入射する。これにより、測光素子が検出するプリ発光の光は一部絞りに遮られるため、絞り径の大きさの影響を受けるが、これは絞り径の大きさと単純比例とはならない。
【００２０】
さらに、測光素子はファインダ光学系の光軸上でなく、光軸に角度を持った位置に配置されている。そのため、この点においても測光素子が検出するプリ発光の光は、絞り径の大きさの影響を受けるが、これは絞り径の大きさと単純比例とはならない。
【００２１】
以上のような理由から、測光素子が検出する光の量は、絞り径の大きさと単純比例しない。
【００２２】
よって、計算によって絞り径ごとの測光素子が検出する光の量を算出する場合は、例えば、ピント板による反射や拡散、及び測光素子、フラッシュ装置の位置といった上述の要因に対応した係数をかけてやることなどが必要とされ、効率的ではなかった。
【００２３】
そのため、従来のカメラは計算によって絞り径ごとの測光素子が検出する光の量を算出することはせず、撮像装置内の記憶領域に想定されるレンズの開放Ｆ値の数分テーブルを用意することで対応していた。
【００２４】
しかしながら、テーブルを用いて開放Ｆ値ごとの測光素子が検出する光の量の情報を得る方法は、前述の通り、撮像装置内の記憶容量を圧迫する。また、テーブルを作成するため、開放Ｆ値となりうる絞り径の数分、データを取得、解析し、テーブル化を行うことから、開発時間もかかってしまう。
【００２５】
以上のような問題について、引用文献１に開示された発明は、プリ発光の光を検出する際の絞り径についてなんら言及しておらず、撮像装置の記憶領域の使用量の削減や、テーブル化を行うための開発時間の短縮は期待できなかった。
【課題を解決するための手段】
【００２６】
第１の発明は、被写界を測光し、測光領域の受光量に応じた測光データを出力する測光素子と、所定の絞り径において、前記測光素子に入射する光の量と本発光の発光量を算出するために用いるパラメータとを対応させて記憶する記憶手段と、前記測光データと前記記憶手段の情報から本発光の発光量を算出する測光演算手段と、前記測光データを取得するためのプリ発光と撮影時の本発光を行うフラッシュ装置と、前記フラッシュ装置の発光を制御するフラッシュ制御手段と、交換可能な撮影レンズ光学系と、前記撮影レンズ光学系を透過する光の量を調整する絞りと、前記絞りを制御する絞り制御手段と、全押しされることにより撮像を指示するレリーズボタンとを有するレンズ交換式の撮像装置において、前記絞り制御手段は、前記レリーズボタン全押し後、プリ発光以前に前記絞りを前記記憶手段に記憶された所定の絞り径に設定することを特徴とする撮像装置とした。
【００２７】
また、第２の発明は、前記記憶手段は第１記憶手段と第２記憶手段から構成され、前記第１記憶手段は、所定の絞り径において、前記測光素子に入射する光の量と本発光の発光量を算出するために用いるパラメータとを対応させて記憶し、前記第２記憶手段は、前記第１記憶手段に記憶された所定の絞り径よりも大きな絞り径において、前記測光素子に入射する光の量と本発光の光量を算出するために用いるパラメータとを対応させて記憶し、前記絞り制御手段が、前記レリーズボタン全押し後、前記第１記憶手段に記憶された絞り径と前記第２記憶手段に記憶された絞り径のいずれかを選択し、前記絞りを、選択した絞り径に設定してから、前記フラッシュ装置はプリ発光を行うことを特徴とする請求項１に記載の撮像装置とした。
【００２８】
また、第３の発明は、前記絞り制御手段が、前記撮影レンズ光学系の開放絞り情報を読み出し、前記第２記憶手段に記憶された絞り径と比較し、前記第２記憶手段に記憶された絞り径より開放絞り径が小さい場合には前記第１記憶手段に記憶された絞り径を選択し、前記第２の記憶手段に記憶された絞り径と開放絞り径が同じか、又は大きい場合には、前記第２の記憶手段に記憶された絞り径を選択し、前記レリーズボタン全押し後、前記絞りを、それぞれ選択した絞り径に設定してから、前記フラッシュ装置はプリ発光を行うことを特徴とする請求項２に記載の撮像装置とした。
【発明の効果】
【００２９】
本発明の撮像装置によれば、プリ発光結果から本発光の光量を決定するために撮像装置内に記憶しておくデータを削減し、記憶領域の使用量を削減できる。また、かかるデータを取得、解析し、テーブル化するための開発時間を削減できる。
【図面の簡単な説明】
【００３０】
【図１】本発明の第１実施例を適用して構成された一眼レフカメラの要部構造と制御系の概略図
【図２】本発明の第１実施例における調光処理のフローチャート
【図３】本発明の実施例２を適用して構成された一眼レフカメラの要部構造と制御系の概略図
【図４】本発明の実施例２における調光処理のフローチャート
【発明を実施するための形態】
【００３１】
図１は本発明の第１実施例を実施して構成された一眼レフカメラの要部構造と制御系の概略図である。同図において、１は撮像装置、２は撮像装置１に装着可能な撮影レンズ光学系である。
【００３２】
撮影レンズ光学系２には以下の装置が搭載されている。
【００３３】
３は光学系、４は絞り装置、５はフォーカス時に移動するフォーカスレンズ群、６は絞り装置４を駆動する絞り駆動モータ、７はフォーカスレンズ群５を駆動するフォーカス駆動モータ、８はレンズ内の各デバイスを制御するレンズＭＣＵである。レンズＭＣＵ８は絞り制御部８ａを有している。
【００３４】
レンズＭＣＵ８内にある絞り制御部８ａは絞り装置４の制御を行う。
【００３５】
一方、撮像装置１には以下の装置が搭載されている。
【００３６】
９は昇降動可能なミラー、１０は前記ミラー９を昇降動させるためのミラー駆動モータ、１１はペンタプリズム、１２はファインダ接眼レンズ、１３はＳＰＣ（シリコンフォトダイオード）等から成る測光素子、１４はシャッタ、１５は固体撮像素子、１６は液晶装置等から成る表示器、１７は撮影者の押し込み動作によって撮影を行うレリーズボタン、１８はカメラの露出モード等を切り替えるモードダイヤル、１９は電源、２０はフラッシュ装置、２１はカメラＭＣＵであり、カメラ本体１とレンズ鏡筒２とを接続するマウント２２に設けられた電気接点２３及び２４を介してシリアル伝送線でレンズＭＣＵ８に接続されている。カメラＭＣＵ２１はフラッシュ制御部２１ａと測光演算部２１ｂと第１記憶部２１ｃを有している。
【００３７】
カメラＭＣＵ２１内にあるフラッシュ制御部２１ａはプリ発光を行う際や、本発光を行う際にフラッシュ装置２０の発光を制御する。
【００３８】
測光演算部２１ｂは、本発光の発光量を算出するための演算を行う。
【００３９】
第１記憶部２１ｃには、所定の絞り径において、測光素子１３が検出する光の量を予め測定し、これを本発光の発光量を求めるためのパラメータと対応させたテーブルが予め記憶されている。
【００４０】
かかるパラメータは実際の被写体を標準被写体におきかえた場合の距離情報であり、かかるテーブルは、測光素子１３が検出したプリ発光の情報から、実際の被写体を標準被写体におきかえた場合の距離情報を求めるためのテーブルである。
【００４１】
第１実施例において、かかる標準被写体とは反射率１８％の被写体である。
【００４２】
つまり、実際に撮影した被写体の反射率が何％であったとしても、まず前記テーブルによって求められるのは、被写体が反射率１８％の標準被写体であった場合の距離情報である。
【００４３】
第１実施例においては、かかる標準被写体の距離情報から、実際の被写体の色情報などを用いて実際の被写体の反射率を算出し、実際の被写体の距離情報を算出している。
【００４４】
次に、第１実施例における、フラッシュ制御部２１ａと測光演算部２１ｂと第１記憶部２１ｃの実際の働きについて詳しく説明する。
【００４５】
フラッシュ装置２０は、フラッシュ制御部２１ａの発したプリ発光命令に従ってプリ発光を行う。その結果、被写体に反射し、撮影レンズ光学系２を透過し、測光素子１３に入射し、検出されたプリ発光の光は、第１記憶部２１ｃに照会される。
【００４６】
これにより、測光素子１３に検出されたプリ発光の光と対応した、本発光の発光量を求めるためのパラメータが第１記憶部２１ｃから読み出され、測光演算部２１ｂに送られる。
【００４７】
第１実施例において、かかるパラメータは前述の通り、実際の被写体を標準被写体におきかえた場合の距離情報である。
【００４８】
つまり、第１実施例においては、まず、第１記憶部２１ｃにおいて、測光素子１３に検出されたプリ発光の光から、実際の被写体を標準被写体におきかえた場合の距離情報を求める。
【００４９】
次に、測光演算部２１ｂにおいて、標準被写体におきかえた場合の距離情報から、演算により、実際の被写体の距離情報を算出する。かかる算出方法は前述の通り、実際の被写体の色情報などを用いた周知の方法である。
【００５０】
そして、測光演算部２１ｂは、先ほど算出した実際の被写体の距離情報と、撮影レンズ光学系２の絞り径情報から本発光の発光量を算出する。
【００５１】
また、第１実施例においては例えば、所定の絞り径としてＦ５．６を設定する。
【００５２】
この場合、第１実施例における第１記憶部２１ｃには、絞り径がＦ５．６の状態において、撮影レンズ光学系２を透過し、測光素子１３に入射し、検出されるプリ発光の光と、これに対応した本発光を求めるためのパラメータが記憶されていることになる。
【００５３】
図２は第１実施例のフラッシュ調光処理のフローチャートである。
【００５４】
かかる図２を用いて、本発明の第１実施例のフラッシュ調光処理動作について述べる。
【００５５】
まず、ステップ＃１０１において、ユーザがレリーズボタン１７を半押しする。
【００５６】
これにより、測光素子１３は通常測光を開始する。
【００５７】
また、フラッシュ装置２０は発光に備えて充電を開始する。かかる充電が完了すると、フラッシュ装置２０は発光を行うまで待機状態となる。
【００５８】
また、固体撮像素子１５は光電変換が可能なように電源をＯＮにする。
【００５９】
次に、ステップ＃１０２でユーザがレリーズボタン１７を全押しする。
【００６０】
これにより、測光素子１３は通常測光を終了し、待機状態となる。
【００６１】
次に、ステップ＃１０３で絞り制御部８ａは絞り装置４を所定のＦ値の径に駆動するよう、絞り駆動モータ６に命令を発する。第１実施例においては絞り装置４をＦ５．６の絞り径に駆動する。
【００６２】
かかるステップ＃１０３における絞り装置４の制御の必要性について説明する。
【００６３】
かかる絞り装置４を所定の絞り径に駆動するのは、後のステップ＃１０５で、測光素子１３がプリ発光の光を測光するときのためである。
【００６４】
一般的に、撮影レンズ光学系の絞り装置を駆動するのは撮影を行う際である。
【００６５】
そのため、撮影レンズ光学系の絞り装置は、撮影を行うとき以外では基本的にその撮影レンズ光学系の開放絞りの状態となっている。
【００６６】
このことから、通常、測光素子１３がプリ発光の光を測光する際、絞り径は装着した撮影レンズ光学系によってまちまちとなっていた。
【００６７】
絞り径が小さければ測光素子１３に届く光の量は少なくなり、絞り径が大きければ測光素子１３に届く光の量は多くなる。
【００６８】
そのため、通常、撮像装置内には想定される撮影レンズ光学系の開放Ｆ値の数だけ、測光素子１３に届く光の量と本発光の発光量を算出するためのパラメータとに対応したテーブルを撮像装置内に予め用意する必要があった。
【００６９】
また、仮に、絞り値を無視して、測光素子１３に届く光の量と本発光の発光量を算出するためのパラメータと対応したテーブルを１つだけ用意したとする。例えば、かかるテーブルは絞り値Ｆ１．４に対応するテーブルであるとする。
【００７０】
そして、開放Ｆ値がＦ１．４のレンズＡと、開放Ｆ値がＦ５．６のレンズＢをそれぞれ撮像装置に装着し、測光のためのプリ発光を行ったとする。
【００７１】
その結果、測光素子１３がレンズＡとレンズＢとで同じ量の光を検出すると、カメラＭＣＵ２１は、両者のレンズにおいて同じパラメータを検出する。つまり、パラメータが被写体距離であった場合には同じ被写体距離を検出する。
【００７２】
そのため、測光演算部２１ｂはかかる被写体距離からレンズＡとレンズＢとで同じ本発光時の発光量を算出する。
【００７３】
しかしながら、絞り値Ｆ１．４のときの絞り径のときと、絞り値Ｆ５．６の時の絞り径のときとで、測光素子１３が同じ量のプリ発光の光を検出した場合、両者の被写体距離は異なるはずである。
【００７４】
なぜなら、被写体距離が同じであれば、絞り径が大きいほうが測光素子１３に届く光は多くなるはずだからである。
【００７５】
つまり、上記のような例の場合には、開放Ｆ値が１．４のレンズＡでは正しい本発光量が算出されるが、開放Ｆ値が５．６のレンズＢでは正しい本発光量が算出されない。
【００７６】
すなわち、絞り値を無視して、測光素子１３に届く光の量と本発光の発光量を算出するためのパラメータとに対応したテーブルを用意すると、正しい被写体距離が検出できず、本発光時の正しい発光量を算出することができない。
【００７７】
以上の理由から、第１実施例では撮影レンズ光学系ごとに異なる開放Ｆ値の数だけテーブルを用意するのではなく、予め所定の絞り径であるＦ５．６の絞り径において測光素子１３に入射し、検出される光の量と本発光の発光量を算出するためのパラメータとに対応したテーブルを撮像装置内に用意する。そして更に、フラッシュ装置２０がプリ発光を行う前に、絞り装置４を絞り値Ｆ５．６の絞り径に駆動している。
【００７８】
上記の通り、装着した撮影レンズ光学系の開放Ｆ値が異なっていたとしても、予め決められた絞り値Ｆ５．６の絞り径に駆動してからフラッシュ装置２０がプリ発光を行えば、測光素子１３に入射し、検出される光の量と本発光の発光量を算出するためのパラメータとに対応したテーブルが一つであっても、正しい被写体距離が検出でき、本発光時の正しい発光量を算出することができる。
【００７９】
そのため、撮影レンズ光学系ごとに異なる開放Ｆ値の数だけテーブルを用意する必要がなくなり、記憶容量の使用領域の削減となる。
【００８０】
ちなみに、第１実施例では所定の絞り値をＦ５．６と設定したが、所定の絞り値はこれに限られるものではなく、想定される撮影レンズ光学系の絞り径の範囲から適宜最適なものが設定されるべきである。
【００８１】
ただし、第１実施例のように、測光素子１３に届く光の量と本発光の発光量を算出するためのパラメータとに対応したテーブルが一つである場合には、なるべく小さい絞り径を設定するべきである。
【００８２】
なぜなら、あまり大きい絞り径を所定の絞り径として設定してしまうと、開放Ｆ値が大きく、所定の絞り径に設定できない撮影レンズ光学系を装着した場合、正しい被写体距離が検出できず、本発光時の正しい発光量を算出することができないからである。
【００８３】
以下、フローチャートの説明に戻る。
【００８４】
ステップ＃１０４で、フラッシュ装置２０が、フラッシュ制御部２１ａの制御のもと、プリ発光を行う。
【００８５】
次に、ステップ＃１０５で、測光素子１３がステップ＃１０４で行われたプリ発光の測光を行う。
【００８６】
次に、ステップ＃１０６で、測光演算部２１ｂがステップ＃１０５で行われたプリ発光の測光結果を第１記憶部２１ｃと照会する。これにより、測光結果と対応するパラメータを取得する。
【００８７】
前述の通り、第１記憶部２１ｃのテーブルにおいて、プリ発光の測光結果を照会して得られるのは実際の被写体を標準被写体におきかえた場合の距離情報である。
【００８８】
そのため、次のステップ＃１０７において、第１記憶部２１ｃで得られた、実際の被写体を標準被写体におきかえた場合の距離情報はまず、測光演算部２１ｂにおいて、実際の被写体の距離情報に変換される。かかる算出方法は実際の被写体の色情報などを用いた周知の方法である。
【００８９】
次に、ステップ＃１０８で、測光演算部２１ｂが、実際の被写体の距離情報を用いて、以下の式で本発光時の発光量を算出する。
【００９０】
Ｆ×Ｍ＝ＧＮ
Ｆ＝所定の絞り径
Ｍ＝距離情報
ＧＮ＝本発光時の発光量
【００９１】
次に、ステップ＃１０９で、露光準備が行われる。
【００９２】
これにより、絞り装置４が絞り制御部８ａの制御のもと、撮影のための絞り径に駆動される。
【００９３】
また、ミラー９がミラー駆動モータ１０により、跳ね上げられる。
【００９４】
次にステップ＃１１０で撮影動作が行われる。
【００９５】
これにより、固体撮像素子１５が露光を開始し、シャッタ１４が開く。
【００９６】
次に、ステップ＃１１１でフラッシュ装置２０が、フラッシュ制御部２１ｃの制御のもと、測光演算手段２１ｂが算出した発光量で発光する。
【００９７】
これにより、本発明の第１実施例の調光処理は完了する。
【００９８】
次に、本発明の第２実施例について説明する。
【００９９】
図３は本発明の第２実施例を実施して構成された一眼レフカメラの要部構造と制御系の概略図である。
【０１００】
第２実施例においても、撮像装置１と撮影レンズ光学系２の構造は第１実施例とほぼ同一であるため、同一部分については説明を省略する。
【０１０１】
第２実施例における撮像装置１内のカメラＭＣＵ２１はフラッシュ制御部２１ａと測光演算部２１ｂと第１記憶部２１ｃと第２記憶部２１ｄを有している。
【０１０２】
カメラＭＣＵ２１内にある第１記憶部２１ｃには、所定の絞り径において、測光素子１３が検出する光の量を予め測定し、これを本発光の発光量を求めるためのパラメータと対応させたテーブルが予め記憶されている
【０１０３】
対して、第２記憶部２１ｄには、第１記憶部２１ｃに記憶されている所定の絞り径よりも大きい絞り径において、測光素子１３が検出する光の量を予め測定し、これを本発光の発光量を求めるためのパラメータと対応させたテーブルがあらかじめ記憶されている。
【０１０４】
第２実施例においては、第１記憶部２１ｃに記憶されている絞り径はＦ５．６の絞り径であり、第２記憶部２１ｄに記憶されている絞り径はＦ２．８の絞り径である。
【０１０５】
次に、第２実施例におけるフラッシュ調光処理動作について述べる。
【０１０６】
図４は第２実施例におけるフラッシュ調光処理動作を示すフローチャートである。
【０１０７】
まず、ステップ＃２０１において、ユーザがレリーズボタン１７を半押しする。
【０１０８】
これにより、測光素子１３は通常測光を開始する。
【０１０９】
また、フラッシュ装置２０は発光に備えて充電を開始する。かかる充電が完了すると、フラッシュ装置２０は発光を行うまで待機状態となる。
【０１１０】
また、固体撮像素子１５は光電変換が可能なように電源をＯＮにする。
【０１１１】
次に、ステップ＃２０２でユーザがレリーズボタン１７を全押しする。
【０１１２】
これにより、測光素子１３は通常測光を終了し、待機状態となる。
【０１１３】
次に、ステップ＃２０３でカメラＭＣＵ２１は装着された撮影レンズ光学系２の開放Ｆ値と、第２記憶部２１ｄに記憶された絞り径のＦ値とを比較する。
【０１１４】
装着された撮影レンズ光学系２の開放Ｆ値の情報は、撮影レンズ光学系２を撮像装置１に装着した際に、カメラＭＣＵ２１に送られている。
【０１１５】
ステップ＃２０３において、カメラＭＣＵ２１は装着された撮影レンズ光学系２の開放Ｆ値が、第２記憶部２１ｄに記憶されたＦ値より大きかった場合はステップ＃２０４へ進む。一方、装着された撮影レンズ光学系２の開放Ｆ値が、第１記憶部２１ｄに記憶されたＦ値より小さいか、又は同じであった場合には、ステップ＃２０５に進む。
【０１１６】
ステップ＃２０４では、絞り制御部８ａは絞り装置４をＦ５．６の絞り径に駆動するよう、絞り駆動モータ６に命令を発する。駆動が完了するとステップ＃２０６に進む。
【０１１７】
一方、ステップ＃２０５では絞り制御部８ａは絞り装置４をＦ２．８の絞り径に駆動するよう、絞り駆動モータ６に命令を発する。駆動が完了するとステップ＃２０６に進む。
【０１１８】
以上のように、２種類の絞り径において、測光素子１３に届く光の量と本発光の発光量を算出するためのパラメータとに対応したテーブルが用意され、適宜絞り値を選択するよう構成することで、開放Ｆ値が小さく、大きい絞り径で撮影できる撮影レンズ光学系を装着した場合において、絞りを大きく絞る必要がなくなり、処理時間の短縮となる。
【０１１９】
次に、ステップ＃２０６で、フラッシュ装置２０がフラッシュ制御部２１ａの制御の元、プリ発光を行う。
【０１２０】
次に、ステップ＃２０７で、測光素子１３がステップ＃２０６で行われたプリ発光の測光を行う。
【０１２１】
次に、ステップ＃２０８で、測光演算部２１ｂがステップ＃２０６で行われたプリ発光の測光結果をそれぞれ、第１記憶部２１ｃ又は第２記憶部２１ｄと照会する。
【０１２２】
装着したレンズの開放Ｆ値の絞り径がＦ２．８の絞り径より小さければ、第１記憶部２１ｃを照会する。装着したレンズの開放Ｆ値の絞り径がＦ２．８の絞り径と同じか、より大きければ、第２記憶部２１ｄを照会する。
【０１２３】
そして、測光結果と対応するパラメータを取得する。かかるパラメータは前述の通り、実際の被写体を標準被写体におきかえた場合の距離情報である。
【０１２４】
そのため、次のステップ＃２０９において、第１記憶部２１ｃ又は第２記憶部２１ｄで得られた、実際の被写体を標準被写体におきかえた場合の距離情報はまず、測光演算部２１ｂによって、実際の被写体の距離情報に変換される。
【０１２５】
かかる変換方法は第１実施例で用いたものと同様のものである。
【０１２６】
次に、ステップ＃２１０で、実際の被写体の距離情報を用いて本発光時の発光量を算出する。
【０１２７】
かかる算出方法は第１実施例で用いたものと同様のものである。
【０１２８】
次に、ステップ＃２１１で、露光準備が行われる。
【０１２９】
これにより、絞り装置４が絞り制御部８ａの制御のもと、撮影のための絞り径に駆動される。
【０１３０】
また、ミラー９が跳ね上げられる。
【０１３１】
次にステップ＃２１２で撮影動作が行われる。
【０１３２】
これにより、撮像素子１５が露光を開始し、シャッタ１４が開く。
【０１３３】
次に、ステップ＃２１３でフラッシュ装置２０が、フラッシュ制御部２１ｃの制御のもと測光演算手段２１ｂが算出した発光量で発光する。
【０１３４】
これにより、本発明の第２実施例の測光処理は完了する。
【０１３５】
以上の通り、本発明の第１実施例及び実施例２では、開放Ｆ値ごとに、測光素子に届く光の量と本発光の発光量を算出するためのパラメータとに対応したテーブルを記憶する記憶領域の使用量を削減できる。また、データを削減しても、本発光時の正しい発光量を算出することができる。また、開放Ｆ値ごとに、測光素子に届く光の量と本発光の発光量を算出するためのパラメータとに対応したテーブルを作成するため、すべてのＦ値分のデータを取得、解析する必要がなくなり、テーブル化を行うための開発時間を削減できる。
【符号の説明】
【０１３６】
１  撮像装置
２  撮影レンズ光学系
３  光学系
４  絞り装置
５  フォーカスレンズ群
６  絞り駆動モータ
７  フォーカス駆動モータ
８  レンズＭＣＵ８
８ａ  絞り制御部
９  ミラー
１０  ミラー駆動モータ
１１  ペンタプリズム
１２  ファインダ接眼レンズ
１３  測光素子
１４  シャッタ
１５  撮像素子
１６  表示器
１７  レリーズボタン
１８  モードダイヤル
１９  電源
２０  フラッシュ装置
２１  カメラＭＰＵ
２１ａ  フラッシュ制御部
２１ｂ  測光演算部
２１ｃ  第１記憶部
２１ｄ  第２記憶部
２２  マウント
２３  電気接点
２４  電気接点
【図１】
2013025042.tif 000003
【図２】
2013025042.tif 000004
【図３】
2013025042.tif 000005
【図４】
2013025042.tif 000006